(57)【要約】【課題】  幼児用ティーシャツの襟ぐりから成人用衣服用ハンガーを出し入れ容易にする。【解決手段】  衣服用ハンガー中央のフックから左に伸びる外管を左肩の位置まで伸ばし、フックから右に伸びる外管は、外管の内側に出し入れ自在に装着する内管が左右へ移動するために必要最小限の距離にし、外管の上部の左肩延長パットは外管の上部の外面で左右にスライド出来て、内管を右肩迄伸ばして、内管上部に装着する右肩延長パットは内管の上部の外面で左右にスライド出来て、外管の内側に内管ガイドレールを形成して、外管下部に内管ストッパーを有する外管下カバーを設けて、外管の内側に右肩延長パットと内管を入出できる衣服用ハンガー。【選択図】  図６
2018069025.tif 000002
【特許請求の範囲】
【請求項１】
衣服用ハンガーにおいて、同一の半径で中芯が異なり、重なり合う二つの円周の上部にフックを有するフックベースが形成され、フックベースから左に伸びる外管の上部は、一方の円の円周上の左肩の位置まで伸びていて、フックベースから右に伸びる外管は、外管の内側に出し入れ自在に装着する内管が左右へ移動するために必要最小限の距離にしてあり、外管の上部に装着する左肩延長パットは外管の上部の外面で左右にスライド出来て、内管を右肩迄伸ばして、内管の上部は他方の円の円周上に構成されていて、内管上部に装着する右肩延長パットは内管の上部の外面で左右にスライド出来る、と共に、外管の内側より右肩延長パットは若干細く形成され、右肩延長パット周囲と外管の内側に空間が出来ていて、外管の内側に内管ガイドレールを形成してあり、外管下部に内管ストッパーを有する外管下カバーが装着されていて、外管の内側に右肩延長パットと内管を入れ出しできる事を特徴とする衣服用ハンガー。
【請求項２】
前記、外管の内側に設けるバネ取付け軸にバネが装着され、内管の内側に、バネ取付け軸が貫通するに穴が設けてあって、内管に２本の切り込みを設けてあり、２本の切り込み間に内管フックと内管フック解除ボタンが形成されていて、外管に内管フックホールが設けられていて、外管に内管を押し込んで内管フックホールに内管フックを係止出来る事を特徴とする請求項１に記載の衣服用ハンガー。
【請求項３】
衣服用ハンガーにおいて、衣服用ハンガーのフックを装着する為のフックベースを設けて、フックベースに左肩支持バーを装着する為の穴を形成して有り、左肩支持バーに穴にはまる突起が形成され、穴に突起が係止されていて、左肩支持バーはフックベースから左肩迄伸びて、左肩支持バーに左肩支持バーの一端から左肩迄伸びる右肩支持バーが横行する為の右肩支持バー横行溝が形成されていて、右肩支持バーの正面と背面に左右に長い右肩支持バーハンガー溝を形成してあり、右肩支持バー横行溝内に左肩支持バーから内向きの右肩支持バー脱落止めを設けてあって、右肩支持バー脱落止めは右肩支持バーハンガー溝にはまっていて右肩支持バーの右肩部をフックベース迄寄せる事が出来ることを特徴とする衣服用ハンガー。
【請求項４】
前記左肩支持バーの上部に左肩延長パットが装着され、右肩支持バーの上部に右肩延長パットが装着されていて、左肩延長パットと右肩延長パットの上面にはハンガー溝とズレ止めフックが形成されて、肩紐をハンガー溝にはめた場合に飛んだりズレたりしない、と共に、フックベースの内側には右肩延長パットの横行を妨げない空間が設けられている事を特徴とする請求項３に記載の衣服用ハンガー。
【請求項５】
衣服用ハンガーにおいて、フックとフックベースが左右に移動する衣服用ハンガーは、左肩から右肩迄続くハンガーバーと、フックを装着するフックベースとにより構成されていて、ハンガーバー上部に衣服脱落止めスプリングを有する肩幅拡張パットが装着され、ハンガーバーの正面と背面であって左肩から右肩の間にフックベースガイドレールが形成され、フックベースガイドレール両端にフックベースストッパーが設けられていて、フックベースの内側に向かうフックベースガイドレール溝が形成され、フックベースガイドレール溝にフックベースガイドレールがはまっていて、フックベースの内側であって、フックベースガイドレール溝より上部に空間が設けられていて、フックベースはフックベースガイドレール両端のフックベースストッパーの間を衣装脱落止めスプリングを有する肩幅拡張パットに接触する事なしに横行移動自在に成っている事を特徴とする衣服用ハンガー。
【請求項６】
前記ハンガーバーの下部にフックベース位置確定溝が設けて有り、フックベースの内側の下部にフックベース位置確定隆起が設けてあって、位置確定溝に位置確定隆起がはまってフックがハンガーバーの中央を確定出来る事を特徴とする請求項５に記載の衣服用ハンガー。
【発明の詳細な説明】
【技術分野】
【０００１】
この発明は洗濯物乾燥に用いる衣服用ハンガーであって、幼児用から成人用迄フートの付いた丸首トレーナー、タートルネック、Tシャツ等の狭い衿ぐりから衣服用ハンガーを容易に出し入れすることが出来る、又、通常にも使用可能な衣服用ハンガーに関する。
【背景技術】
【０００２】
従来狭い衿ぐりから出し入れするための衣服用ハンガーは、ハンガーを中心にハンガーの左右を下に長く折り畳む形状のもの、又は、左又は右から中心に寄せて肩幅を狭くするものが見られた。
【先行技術文献】
【特許文献】
【０００３】
【特許文献１】特開平０８−０００４３６
【特許文献２】特開２０１０−２２８１８
【０００４】
特許文献１特許文献２は、本発明と同じ分野と思われるが、外管に内管を挿入して肩の幅を狭めている。
【発明の概要】
【０００５】
左右に肩幅を広げる為の肩幅拡張バーを有する成人衣服用ハンガーを幼児用Ｔシャツの襟ぐりより出し入れを可能にするためには、フックと一方の肩の距離の問題があって、フックと一方の肩との距離を縮めるために一方の肩端をフックに寄せる、フックを一方の片端に寄せて、幼児用衣服と成人用衣服を一緒に洗濯して幼児用ハンガーを使用することなしに幼児用衣服と成人用衣服を成人用ハンガーで乾すことが出来るようにした衣服ハンガー。
【０００６】
左右に肩幅を広げる為の肩幅拡張バーを有する成人衣服用ハンガーのフックと一方の肩端の距離を幼児用Ｔシャツの襟ぐりの幅より狭めるものとして、同一の半径で中芯が異なり、円周の距離が同じで中芯が異なり重なり合う二つの円の上部にフックベースを形成し、フックベースにフックを装着して、左の円の円周上に外管を構成し、右の円の円周上に内管を構成して、左の円の円周上に左肩延長パットを設け、右の円の円周上に右肩延長パットを設けて、外管内に内管が挿入出来る衣服ハンガー。
【発明が解決しようとする課題】
【０００７】
特許文献１特許文献２は、本発明と同じ分野と思われるが、左右の肩の高さが同じ高さにならない、と共に左右の肩が同じ丸みを作れない。
【課題を解決するための手段】
【０００８】
本願発明１、衣服用ハンガーにおいて、同一の半径で中芯が異なり、重なり合う二つの円周の上部にフックを有するフックベースが形成され、フックベースから左に伸びる外管の上部は、一方の円の円周上の左肩の位置まで伸びていて、フックベースから右に伸びる外管は、外管の内側に出し入れ自在に装着する内管が左右へ移動するために必要最小限の距離にしてあり、外管の上部に装着する左肩延長パットは外管の上部の外面で左右にスライド出来て、内管を右肩迄伸ばして、内管の上部は他方の円の円周上に構成されていて、内管上部に装着する右肩延長パットは内管の上部の外面で左右にスライド出来る、と共に、外管の内側より右肩延長パットは若干細く形成され、右肩延長パット周囲と外管の内側に空間が出来ていて、外管の内側に内管ガイドレールを形成してあり、外管下部に内管ストッパーを有する外管下カバーが装着されていて、外管の内側に右肩延長パットと内管を入れ出しできる衣服用ハンガー。
【０００９】
前記、外管の内側に設けるバネ取付け軸にバネが装着され、内管の内側に、バネ取付け軸が貫通するに穴が設けてあって、内管に２本の切り込みを設けてあり、２本の切り込み間に内管フックと内管フック解除ボタンが形成されていて、外管に内管フックホールが設けられていて、外管に内管を押し込んで内管フックホールに内管フックを係止出来る衣服用ハンガー。
【００１０】
本発明２、一方の肩端をフックに寄せる肩支持バー形状の衣服用ハンガーは、衣服用ハンガーにおいて、衣服用ハンガーのフックを装着するフックベースを設けて、フックベースに左肩支持バーを装着する為の穴を形成して有り、左肩支持バーに穴にはまる突起が形成され、穴に突起が係止されていて、左肩支持バーはフックベースから左肩迄伸びて、左肩支持バーに左肩支持バーの一端から左肩迄伸びる右肩支持バーが横行する為の右肩支持バー横行溝が形成されていて、右肩支持バーの正面と背面に左右に長い右肩支持バーハンガー溝を形成してあり、右肩支持バー横行溝内に左肩支持バーから内向きの右肩支持バー脱落止めを設けてあって、右肩支持バー脱落止めは右肩支持バーハンガー溝にはまっていて右肩支持バーの右肩部をフックベース迄寄せる事が出来る衣服用ハンガー。
【００１１】
前記左肩支持バーの上部に左肩延長パットが装着され、右肩支持バーの上部に右肩延長パットが装着されていて、左肩延長パットと右肩延長パットの上面にはハンガー溝とズレ止めフックが形成されて、肩紐をハンガー溝にはめた場合に飛んだりズレたりしない、と共に、フックベースには右肩延長パットの横行を妨げない空間が設けられている衣服用ハンガー。
【００１２】
本発明３、衣服用ハンガーにおいて、フックとフックベースが左右に移動する衣服用ハンガーは、左肩から右肩迄続くハンガーバーと、フックを装着するフックベースとにより構成されていて、ハンガーバー上部に衣服脱落止めスプリングを有する肩幅拡張パットが装着され、ハンガーバーの正面と背面であって左肩から右肩の間にフックベースガイドレールが形成され、フックベースガイドレール両端にフックベースストッパーが設けられていて、フックベースの内側に向かうフックベースガイドレール溝が形成され、フックベースガイドレール溝にフックベースガイドレールがはまっていて、フックベースの内側であって、フックベースガイドレール溝より上部に空間が設けられていて、フックベースはフックベースガイドレール両端のフックベースストッパーの間を衣装脱落止めスプリングを有する肩幅拡張パットに接触する事なしに横行移動自在に成っている衣服用ハンガー。
【００１３】
前記ハンガーバーの下部にフックベース位置確定溝が設けて有り、フックベースの内側の下部にフックベース位置確定隆起が設けてあって、位置確定溝に位置確定隆起がはまってフックがハンガーバーの中央を確定出来る衣服用ハンガー。
【００１４】
本発明１、一方の肩端をフックに寄せる管形状の衣服用ハンガーにおいて、同一の半径で中芯が異なり、重なり合う二つの円の上部にフックベースを形成し、フックベースにフックを装着してあって、外管の上部は左の円の円周上に構成され、内管の上部は右の円の円周上に構成されていて、左の円の円周上に左肩延長パットを設け、右の円の円周上に右肩延長パットを設けてあって、外管内に内管が挿入出来る。
【００１５】
衣服用ハンガー中央のフックから一方に伸びる外管を左肩の位置まで伸ばし、外管端は丸く成っていて、フックから他方に伸びる外管は、外管内に出し入れ自在に装着する内管が左右移動するために必要最小限の距離に成っている。
【００１６】
内管内側に貫通する穴を有するバネ取付け軸留を形成して、内管の一端は丸い右肩形状を成していて、外管内設けるバネ取付け軸の一端には先割れフックが形成され他端はバネ軸ベース形状に成っていて、丸く成った外管端の外管内にバネ軸ベースを装着して、バネ取付け軸にバネを装着して、先割れフックをバネ取付け軸留に形成された穴を貫通させ、先割れフックにクッションリングを装着して、外管下部に外管下カバーを設けている。
【００１７】
内管に２本の切り込みを設け、２本の切り込み間に内管フックと内管フック解除ボタンを形成して、外管に内管フックを係止するための内管フックホールを設けている。
【００１８】
本発明２、一方の肩端をフックに寄せる肩支持バー形状の衣服用ハンガーは、衣服用ハンガーのフックを装着するフックベース設けて、フックベースに左肩支持バーを装着する為の穴を形成して、左肩支持バーに穴にはまる突起を形成して、左肩支持バーはフックベースから左肩迄伸びていて、左肩支持バーに左肩支持バーの一端から左肩迄伸びる右肩支持バーが横行する為の右肩支持バー横行溝を形成して、右肩支持バーの正面と背面に左右に長い右肩支持バーハンガー溝を形成して、右肩支持バー横行溝に内向きの右肩支持バー脱落止めを設けている。
【００１９】
左肩支持バーの上部に左肩延長パットを装着する為の左肩延長パットスライドレールを設け、左肩延長パットの内側に左肩延長パット脱落止め桟を設けて、右肩支持バーの右肩の上部に右肩延長パットを装着する為の右肩延長パットスライドレールを形成し、右肩延長パットの内側に右肩延長パット脱落止め桟を設けて、フックベースには右肩延長パットの横行を妨げない空間が形成されている。
【００２０】
本発明３、フック移動肩支持バー形状の衣服用ハンガーにおいて、衣服用ハンガーは、左肩から右肩迄続くハンガーバーと、フックの上部が三角形に成っているフックを装着するフックベースとにより構成されていて、ハンガーバーの正面と背面であって左肩から右肩の間にフックベースガイドレールが形成され、フックベースガイドレール両端にフックベースストッパーが設けられていて、フックベースの内側に向かうフックベースガイドレール溝が形成され、フックベースガイドレール溝にフックベースガイドレールがはまってフックベースはフックベースガイドレール両端のフックベースストッパーの間を横行移動自在に成っている。
【００２１】
フックベースの内側であって、フックベースガイドレール溝より上部はフックベースがハンガーバーに接触を避ける為の空間が設けて有り、ハンガーバーの下部にフックベース位置確定溝が設けて有り、フックベースの内側の下部にフックベース位置確定隆起が設けてあって、位置確定溝に位置確定隆起がはまってフックがハンガーバーの中央を確定出来る。
【００２２】
ハンガーバー左右の上部は肩幅拡張パットを装着する為の肩幅拡張パットレールに成っていて、肩幅拡張パットの内側の上部は肩幅拡張パットレールの形状を反映した形状に成っていて、肩幅拡張パットに肩幅拡張パットから内向きの肩幅拡張パット脱落止めを設けている、と共に、肩幅拡張パットの上部は衣服脱落止めスプリングに成っている。
【発明の効果】
【００２３】
以下図面に基づき説明する。
本発明１、図１−図８符合１−符号３２の一方の肩端をフックに寄せる管形状の衣服用ハンガーは、管形状の衣服用ハンガー(１)において、衣服用ハンガー(１)中央のフック(２)を有するフックベース(２７)から左に伸びる外管(３)は左肩(４)の位置まで伸びていて、フックベース(２７)から右に伸びる外管(３)は、外管(３)の内側に出し入れ自在に装着する内管(５)が左右へ移動するために必要最小限の距離にすることにおいて、右肩(１０)をフック(２)のより近くに寄せる事が出来る。
【００２４】
同一の半径で中芯が異なり、重なり合う左の円(２８)と右の円(２９)の円の上部にフックベース(２７)を形成し、フックベース(２７)にフック(２)を装着して、外管(３)の上部は左の円(２８)の円周上に構成し、内管(５)の上部は右の円(２９)の円周上に構成して、外管(３)の内側に内管ガイドレール(６)を形成することにおいて、外管(３)の内側に内管(５)を滑らかに出し入れ出来る。
【００２５】
外管(３)の上部の前後に左右に長い左肩延長パット(７)を装着する為の左肩延長パットスライド溝(８)を設け、左肩延長パット(７)の内側の前後に左肩延長パットスライド溝(８)にはまる左肩延長パットスライド突起(９)を形成することにおいて、左肩延長パットスライド溝(８)に左肩延長パットスライド突起(９)がはまっていて左肩延長パット(７)は外管(３)の上部の外面で左右にスライド出来る。
【００２６】
内管(３)の上部の前後に左右に長い右肩延長パット(１１)を装着する為の右肩延長パットスライド溝(１２)を設け、右肩延長パット(１１)内側の前後に右肩延長パットスライド溝(１２)にはまる右肩延長パットスライド突起(１３)を形成することにおいて、右肩延長パットスライド溝(１２)に右肩延長パットスライド突起(１３)がはまっていて右肩延長パット(１１)は内管(５)の上部の外面で左右にスライド出来る。
【００２７】
内管(５)の内側に貫通する穴を有するバネ取付け軸留(１４)を形成して、外管(３)の内側に設けるバネ取付け軸(１５)の一端に先割れフック(１６)を形成して他端はバネ軸ベース(１７)形状に成っていて、丸く成った外管(３)端の外管(３)の内側にバネ軸ベース(１７)を装着する為のバネ軸ベースピット(１８)を形成して、バネ軸ベースピット(１８)にバネ軸ベース(１７)を装着してあり、バネ取付け軸(１５)にバネ(１９)を装着し、先割れフック(１６)をバネ取り付け軸留(１４)に形成された穴を貫通させ、先割れフック(１６)にクッションリング(２０)を装着して、外管(３)下部に内管ストッパー(２６)を有する外管下カバー(２１)を設けていることにおいて、外管(３)を押さえて内管(５)の右肩(１０)の分部を内側に押すと内管(５)は外管(３)内側に挿入される、と共に、バネ(１９)を収縮する事ができる。
【００２８】
内管(５)に２本の切り込み(２２)を設け、２本の切り込み(２２)間に内管フック(２３)と内管フック解除ボタン(２４)を形成して、外管(３)に内管フック(２３)を係止するための内管フックホール(２５)を設けていることにおいて、外管(３)を押さえて内管(５)の右肩(１０)の分部を内側に押して、内管フックホール(２５)に内管フック(２３)が係止できて、内管フック解除ボタン(２４)を押すと、共に、バネ(１９)により外管(３)と内管(５)が開いて使用可能状態になる。
【００２９】
同一の半径で中芯が異なり、左の円(２８)と右の円(２９)が重なり合って左右の高さが同一の二つの円の上部にフックベース(２７)を形成して、外管(３)は左の円(２８)の円周上に構成し、内管(５)は右の円(２９)の円周上に構成して、左の円(２８)の円周上に左肩延長パット(７)を設け、右の円(２９)の円周上に右肩延長パット(１１)を設けていて、重なり合う左の円(２８)と右の円(２９)で出来るＡ部(３０)に内管ガイドレール(６)が形成されていることにおいて、左肩延長パット(７)と右肩延長パット(１１)の位地は水平になっている。
【００３０】
本発明２、図９−図２１符合５１−符号７１、一方の肩端をフックに寄せる肩支持バー形状の衣服用ハンガーは、衣服用ハンガー(５１)のフック(５２)を装着するフックベース(５３)を設けて、フックベース(５３)に左肩支持バー(５４)を装着する為の穴(５５)を形成して、左肩支持バー(５４)に突起(５６)を形成して、左肩支持バー(５４)はフックベース(５３)から左肩(５７)迄伸びていて、左肩支持バー(５４)に左肩支持バー(５４)の一端から左肩(５７)迄伸びる右肩支持バー横行溝(５９)を形成して、右肩支持バー(５８)の正面と背面に左右に長い右肩支持バーハンガー溝(６０)を形成して、右肩支持バー横行溝(５９)に内向きの右肩支持バー脱落止め(６１)を設けることにおいて、右肩支持バーハンガー溝(６０)に右肩支持バー脱落止め(６１)がはまっていて、右肩支持バー横行溝(５９)内に右肩支持バー(５８)を左右に動かす事ができる。
【００３１】
左肩支持バー(５４)の上部に左肩延長パット(６２)を装着する為の左肩延長パットスライドレール(６３)を設け、左肩延長パット(６２)の内側に左肩延長パット脱落止め桟(６４)を設けて、左肩延長パット脱落止め桟(６４)は左肩延長パットスライドレール(６３)下に構成されて、右肩支持バー(５８)の上部に右肩延長パット(６５)を装着する為の右肩延長パットスライドレール(６６)を形成し、右肩延長パット(６５)の内側に右肩延長パット脱落止め桟(６７)を設けて、右肩延長パット脱落止め桟(６７)は右肩延長パットスライドレール(６６)の下に構成されて、フックベース(５３)に空間(６８)を設けることにおいて、左肩延長パット(６２)と右肩延長パット(６５)は同一の高さになっている、と共に、右肩延長パット(６５)が装着された右肩支持バー(５８)を左右に移動する際に空間(６８)に依って右肩延長パット(６５)がフックベース(５３)に干渉することがなく右肩延長パット(６５)が横行可能になっている。
【００３２】
左肩延長パット(６２)と右肩延長パット(６５)にはハンガー溝(７０)とズレ止めフック(７１)が形成されていることにおいて、肩紐をハンガー溝(７０)にはめた場合に飛んだりズレたりしない。
【００３３】
本発明３、図２２−図２８符合１０１−符号１１６のフック移動肩支持バー形状の衣服用ハンガー(１０１)は、左肩(１０２)から右肩(１０３)迄続くハンガーバー(１０４)と、フック(１０５)の上部が三角形に成っているフック(１０５)を装着するフックベース(１０６)とにより構成されていて、ハンガーバー(１０４)の正面と背面であって左肩(１０２)から右肩(１０３)の間にフックベースガイドレール(１０７)が形成され、フックベースガイドレール(１０７)両端にフックベースストッパー(１０８)が設けられていて、フックベース(１０６)の内側に向かうフックベースガイドレール溝(１０７)が形成されていることにおいて、フックベースガイドレール溝(１０９)にフックベースガイドレール(１０７)がはまっていて、フックベース(１０６)はフックベースガイドレール(１０７)両端のフックベースストッパー(１０８)の間を横行移動自在に成っている、と共に、フック(１０５)上部の三角形の真っ直ぐな部分の二点と物干竿の丸い形状の接触は物干竿が挟まった効果が生まれてハンガー(１０１)が風で横に滑りにくい。
【００３４】
フックベース(１０６)の内側であって、フックベースガイドレール溝(１０９)より上部に空間(１１０)が設けてあることにおいて、空間(１１０)は肩幅拡張パット(１１３)と衣服脱落止めスプリング(１１６)がフックベース(１０６)に接触を避ける為の空間(１１０)となっていて、フックベース(１０６)がフックベースガイドレール(１０７)両端のフックベースストッパー(１０８)の間を横行移動の際に肩幅拡張パット(１１３)がフックベース(１０６)に接触することがなく移動出来る。
【００３５】
ハンガーバー(１０４)の下部にフックベース(１０６)位置確定溝(１１１)が設けて有り、フックベース(１０６)の内側の下部にフックベース(１０６)位置確定隆起(１１２)が設けてあることにおいて、位置確定溝(１１１)に位置確定隆起(１１２)がはまってフック(１０５)がハンガーバー(１０４)の中央を確定出来る。
【００３６】
ハンガーバー(１０４)左右の上部は肩幅拡張パット(１１３)を装着する為の肩幅拡張パットレール(１１４)が形成され、肩幅拡張パット(１１３)の内側の上部は肩幅拡張パットレール(１１４)の形状を反映した形状に成っていて、肩幅拡張パット(１１３)に肩幅拡張パット(１１３)内側の前後から内向きの肩幅拡張パット脱落止め(１１５)を設けている、と共に、肩幅拡張パット(１１３)の上部は衣服脱落止めスプリング(１１６)に成っていることにおいて、女性衣服に多く見られる肩幅が広くて襟ぐりの広い衣装の襟を衣服脱落止めスプリング(１１６)を引き上げてからスプリング(１１６)で襟を挟んで衣装脱落止めの対応ができる。
【図面の簡単な説明】
【００３７】
【図１】衣服用ハンガー(１)の正面図。
【図２】左肩延長パット(７)と右肩延長パット(１１)を外した衣服用ハンガー(１)の正面図、左肩延長パットスライド溝(８)と右肩延長パットスライド溝(１２)を示す。
【図３】左肩延長パット(７)と右肩延長パット(１１)の底面図、左肩延長パットスライド突起(９)と右肩延長パットスライド突起(１３)を示す。
【図４】外管(３)に内管(５)を挿入した衣服用ハンガー(１)の正面図。
【図５】Ａ−Ａ切断線を示す衣服用ハンガー(１)の平面図。
【図６】図５のＡ−Ａ線切断端面図。
【図７】左肩延長パット(７)と右肩延長パット(１１)を左右に伸ばした衣服用ハンガー(１)の正面図。
【図８】重なり合った左の円(２８)と右の円(２９)に依って構成された衣服用ハンガー(１)の参考図。
【図９】衣服用ハンガー(５１)の正面図。
【図１０】衣服用ハンガー(５１)の背面図。
【図１１】左肩支持バー(５４)と右肩支持バー(５８)の正面図。
【図１２】左肩支持バー(５４)と右肩支持バー(５８)の背面図。
【図１３】Ｂ−Ｂ切断線とＣ−Ｃ切断線を示す衣服用ハンガー(５１)の平面図。
【図１４】図１３のＢ−Ｂ線切断端面図。
【図１５】図１３のＣ−Ｃ線切断端面図。
【図１６】左肩支持バー(５４)と右肩支持バー(５８)の平面図。
【図１７】衣服用ハンガー(５１)の底面図。
【図１８】衣服用ハンガー(５１)の左側面図。
【図１９】衣服用ハンガー(５１)の右側面図。
【図２０】左肩支持バー(５４)に横から右肩支持バー(５８)を挿入した衣服用ハンガー(５１)の正面図。
【図２１】左肩延長パット(６２)と右肩延長パット(６５)を左右に伸ばした衣服用ハンガー(５１)の正面図。
【図２２】衣服用ハンガー(１０１)の正面図。
【図２３】衣服用ハンガー(１０１)の右側面図。
【図２４】Ｄ−Ｄ切断線を示す衣服用ハンガー(１０１)の平面図。
【図２５】図２４のＤ−Ｄ線切断端面図。
【図２６】フックベース(１０６)を一方のフックベースストッパー(１０８)まで寄せたＥ−Ｅ切断線を示す衣服用ハンガー(１０１)の正面図。
【図２７】図２６のＥ−Ｅ線切断端面図。
【図２８】左右の肩延長パット(１１３)を左右に伸ばした衣服用ハンガー(１０１)の正面図。
【発明を実施するための形態】
【００３８】
以下図面に基づき説明する。
本発明１、図１−図８符合１−符号３２は、管形状の衣服用ハンガー(１)において、衣服用ハンガー(１)のフック(２)を設けるフックベース(２７)から左に伸びる外管(３)を左肩(４)の位置まで伸ばし、伸ばした外管(３)の端は丸く成っていて、フックベース(２７)から右に伸びる外管(３)は、外管(３)の内側に出し入れ自在に装着する内管(５)が左右へ移動するために必要最小限の距離に成っていて、外管(３)の上部の内側に内管ガイドレール(６)が形成されている。
【００３９】
外管(３)の上部の前後に左右に長い左肩延長パット(７)を装着する為の左肩延長パットスライド溝(８)を設け、左肩延長パット(７)の内側の前後に左肩延長パットスライド溝(８)にはまる左肩延長パットスライド突起(９)を形成していて、左肩延長パットスライド溝(８)に左肩延長パットスライド突起(９)をはめ込んであって左肩延長パット(７)は外管(３)の上部の外面で左右にスライド出来る。
【００４０】
フックベース(２７)より右肩(１０)迄伸びる内管(５)の一端は丸い形状に成っていて、内管(５)上部の前後に左右に長い右肩延長パット(１１)を装着する為の右肩延長パットスライド溝(１２)を設けてあり、右肩延長パット(１１)の内側の前後に右肩延長パットスライド溝(１２)にはまる右肩延長パットスライド突起(１３)を形成して、右肩延長パットスライド溝(１２)に右肩延長パットスライド突起(１３)をはめ込んであって右肩延長パット(１１)は内管(５)の上部の外面で左右にスライド出来る、と共に、外管(３)の内側より右肩延長パット(１１)は若干細く形成されていて、右肩延長パット(１１)が装着された内管(５)を外管(３)に挿入すると右肩延長パット(１１)周囲と外管(３)の内側に空間が出来ていて、外管(３)に内管(５)を出し入れの際に右肩延長パット(１１)は外管(３)の内側に接触する事は回避されている。
ている。
【００４１】
内管(５)の内側に、貫通する穴を有するバネ取付け軸留(１４)を形成して、外管(３)の内側に設けるバネ取付け軸(１５)の一端に先割れフック(１６)が形成され他端はバネ軸ベース(１７)形状に成っていて、バネ軸ベース(１７)にバネ軸ベース突起が設けてあり、外管(３)にバネ軸ベース突起穴(３２)が設けてあって、バネ軸ベース突起穴(３２)にバネ軸ベース突起がはまっている、と共に、丸く成った外管(３)の端の内側にバネ軸ベース(１７)を装着する為のバネ軸ベースピット(１８)が形成されて、バネ軸ベースピット(１８)にバネ軸ベース(１７)が装着されて、バネ取付け軸(１５)にバネ(１９)が装着され、先割れフック(１６)をバネ取付け軸留(１４)に形成された穴を貫通させ、先割れフック(１６)にクッションリング(２０) が装着されていて、外管(３)下部に装着する外管下カバー(２１)に内管ストッパー(２６)と外管下カバー突起が形成され、外管(３)下部に外管下カバー突起穴(３１)が設けられ、外管下カバー突起穴(３１)に外管下カバー突起がはまっている。
【００４２】
内管(５)に２本の切り込み(２２)を設け、２本の切り込み(２２)間に内管フック(２３)と内管フック解除ボタン(２４)を形成して有り、外管(３)に内管フック(２３)を係止するための内管フックホール(２５)が設けられている。
【００４３】
同一の半径で中芯が異なり、重なり合う二つの円の上部にフックベース(２７)が形成され、フックベース(２７)にフック(２)を装着してあって、外管(３)の上部は左の円(２８)の円周上に構成され、内管(５)の上部は右の円(２９)の円周上に構成されていて、左の円(２８)の円周上に左肩延長パット(７)を設け、右の円(２９)の円周上に右肩延長パット(１１)を設けてあって、外管(３)の上部の内側に内管ガイドレール(６)が形成されていて外管(３)内に内管(５)が挿入出来る。
【００４４】
衣服用ハンガー(１)の使用方法は、外管(３)を押さえての内管(５)の右肩(１０)の分部を内側に押すと内管(５)は外管(３)の内側に挿入される、と共に、バネ(１９)は縮んで、外管(３)に形成された内管フックホール(２５)に内管フック(２３)が係止して、ティーシャツの襟ぐりから外管(３)の左肩(４)部分をティーシャツの肩の部分迄入れ、内管(５)の右肩(１０)の分部をティーシャツの襟ぐりに入れてから、内管フック解除ボタン(２４)を押すと、共に、バネ(１９)により外管(３)と内管(５)が開いて使用可能状態になって、更に肩幅を広げる場合は右肩延長パット(１１)を右にスライドして、左肩延長パット(７)を左にスライドする。
【００４５】
洗濯物で襟ぐりの狭いティーシャツの取り込みは、左肩(４)と右肩(１０)を内側に寄せると内管フックホール(２５)に内管フック(２３)が係止して、左肩(４)は外管(３)に挿入された内管(５)とバネ(１９)の重量で左右のバランスがくずれ左肩が下がってティーシャツの襟ぐりは外管(３)から外れティーシャツは下に外れる。
【００４６】
本発明２、図９−図２１符合５１−符号７１は、一方の肩端をフックに寄せる肩支持バー形状の衣服用ハンガーは、衣服用ハンガー(５１)のフック(５２)を装着するフックベース(５３)を設けて、フックベース(５３)に左肩支持バー(５４)を装着する為の穴(５５)が形成され、左肩支持バー(５４)に穴(５５)にはまる突起(５６)が形成してあって、左肩支持バー(５４)はフックベース(５３)から左肩(５７)迄伸びていて、左肩支持バー(５４)に左肩支持バー(５４)の一端から左肩(５７)迄伸びる右肩支持バー(５８)が横行する為の右肩支持バー横行溝(５９)が形成されていて、右肩支持バー(５８)の上部は前後に開いて、右肩支持バー(５８)の正面と背面に左右に長い右肩支持バーハンガー溝(６０)が形成されて、右肩支持バー横行溝(５９)の内向きの面に向かう右肩支持バーハンガー溝(６０)にはまる右肩支持バー脱落止め(６１)を設けている。
【００４７】
左肩支持バー(５４)の上部に左肩延長パット(６２)を装着する為の左肩延長パットスライドレール(６３)を設け、左肩延長パット(６２)の内側に向かう左肩延長パット脱落止め桟(６４)が設けてあり、右肩支持バー(５８)の右肩(６９)の上部に右肩延長パット(６５)を装着する為の右肩延長パットスライドレール(６６)が形成され、右肩延長パット(６５)の内側に向かう右肩延長パット脱落止め桟(６７)を設けてあって、左肩延長パット(６２)と右肩延長パット(６５)の上面にはハンガー溝(７０)とズレ止めフック(７１)が形成されていて、フックベース(５３)には、右肩延長パット(６５)の横行を妨げない空間(６８)を設けている。
【００４８】
衣服用ハンガー(５１)の使用方法は、フックベース(５３)又は左肩延長パット(６２)又は左肩支持バー(５８)を押さえて、右肩延長パット(６５)の右端をフックベース(５３)迄寄せて、Ｔシャツの襟ぐりから左肩延長パット(６２)を挿入し、左肩延長パット(６２)をＴシャツ左肩迄入れてから右肩延長パット(６５)の右端をＴシャツの襟ぐりに入れて、左肩支持バー(５４)から右肩支持バー(５８)を引き出して、更に左肩支持バー(５４)より左肩延長パット(６２)を左にスライドさせて、右肩支持バー(５８)より右肩延長パット(６５)を右にスライドする。
【００４９】
本発明３、図２２−図２８符合１０１−符号１１６のフック移動肩支持バー形状の衣服用ハンガーは、肩支持バー形状の衣服用ハンガー(１０１)において、衣服用ハンガー(１０１)は、左肩(１０２)から右肩(１０３)迄続くハンガーバー(１０４)と、フック(１０５)の上部が三角形に成っているフック(１０５)を装着するフックベース(１０６)とにより構成されていて、ハンガーバー(１０４)の正面と背面であって左肩(１０２)から右肩(１０３)の間にフックベースガイドレール(１０７)が形成され、フックベースガイドレール(１０７)両端にフックベースストッパー(１０８)が設けられていて、フックベース(１０６)の内側に向かうフックベースガイドレール溝(１０９)が形成され、フックベースガイドレール溝(１０９)にフックベースガイドレール(１０７)がはまっていて、フックベース(１０６)はフックベースガイドレール(１０７)両端のフックベースストッパー(１０８)の間を横行移動自在に成っている。
【００５０】
フックベース(１０６)の内側であって、フックベースガイドレール溝(１０９)より上部はフックベース(１０６)がハンガーバー(１０４)に接触を避ける為の空間(１１０)が設けて有り、ハンガーバー(１０４)の下部にフックベース(１０６)位置確定溝(１１１)が設けて有り、フックベース(１０６)の内側の下部にフックベース(１０６)位置確定隆起(１１２)が設けてあって、位置確定溝(１１１)に位置確定隆起(１１２)がはまってフック(１０５)がハンガーバー(１０４)の中央を確定出来る。
【００５１】
ハンガーバー(１０４)左右の上部は肩幅拡張パット(１１３)を装着する為の肩幅拡張パットレール(１１４)に成っていて、肩幅拡張パット(１１３)の内側の上部は肩幅拡張パットレール(１１４)の形状を反映した形状に成っていて、肩幅拡張パット(１１３)に肩幅拡張パット(１１３)の内側の前後から内向きの肩幅拡張パット脱落止め(１１５)を設けている、と共に、肩幅拡張パット(１１３)の上部は衣服脱落止めスプリング(１１６)に成っている。
【００５２】
衣服用ハンガー(１０１)の使用方法は、一方の手でハンガーバー(１０４)を押さえて、他方の手でフックベース(１０６)を左肩(１０２)又は右肩(１０３)方向に力を加えると位置確定溝(１１１)から位置確定隆起(１１２)が外れて、更にフックベース(１０６)を一方のフックベースストッパー(１０８)まで寄せて、フックベース(１０６)と反対方向の肩幅拡張パット(１１３)をＴシャツの襟ぐりに入れ袖まで送ってからフックベース(１０６)寄りの他方のわずかな肩幅拡張パット(１１３)をＴシャツの襟ぐりに入れ一方の手でフックベース(１０６)を押さえてハンガーバー(１０４)を位置確定溝(１１１)に位置確定隆起(１１２)がはまるまで移動して、更に肩幅拡張パット(１１３)を左右に広げる。
【産業上の利用可能性】
【００５３】
幼児用Ｔシャツと大人の衣服を一緒に洗濯して子供用のハンガーを使用しない  本発明のハンガーで大人と子供の洗濯物を干す事ができて使い勝手が良く、又、安価に製造できる。
【符号の説明】
【００５４】
１    衣服用ハンガー
２    フック
３    外管
４    左肩
５    内管
６    内管ガイドレール
７    左肩延長パット
８    左肩延長パットスライド溝
９    左肩延長パットスライド突起
１０  右肩
１１  右肩延長パット
１２  右肩延長パットスライド溝
１３  右肩延長パットスライド突起
１４  バネ取り付け軸留
１５  バネ取り付け軸
１６  先割れフック
１７  バネ軸ベース
１８  バネ軸ベースピット
１９  バネ
２０  クッションリング
２１  外管下カバー
２２  切り込み
２３  内管フック
２４  内管フック解除ボタン
２５  内管フックホール
２６  内管ストッパー
２７  フックベース
２８  左の円
２９  右の円
３０  Ａ部
３１  外管下カバー突起穴
３２  バネ軸ベース突起穴
５１  衣服用ハンガー
５２  フック
５３  フックベース
５４  左肩支持バー
５５  穴
５６  突起
５７  左肩
５８  右肩支持バー
５９  右肩支持バー横行溝
６０  右肩支持バーハンガー溝
６１  右肩支持バー脱落止め
６２  左肩延長パット
６３  左肩延長パットスライドレール
６４  左肩延長パット脱落止め桟
６５  右肩延長パット
６６  右肩延長パットスライドレール
６７  右肩延長パット脱落止め桟
６８  空間
６９  右肩
７０  ハンガー溝
７１  ズレ止めフック
１０１  衣服用ハンガー
１０２  左肩
１０３  右肩
１０４  ハンガーバー
１０５  フック
１０６  フックベース
１０７  フックベースガイドレール
１０８  フックベーススットパー
１０９  フックベースガイドレール溝
１１０  空間
１１１  位置確定溝
１１２  位置確定隆起
１１３  肩幅拡張パット
１１４  肩幅拡張パットレール
１１５  肩幅拡張パット脱落止め
１１６  衣装脱落止めスプリング
【図１】
2018069025.tif 000003
【図２】
2018069025.tif 000004
【図３】
2018069025.tif 000005
【図４】
2018069025.tif 000006
【図５】
2018069025.tif 000007
【図６】
2018069025.tif 000008
【図７】
2018069025.tif 000009
【図８】
2018069025.tif 000010
【図９】
2018069025.tif 000011
【図１０】
2018069025.tif 000012
【図１１】
2018069025.tif 000013
【図１２】
2018069025.tif 000014
【図１３】
2018069025.tif 000015
【図１４】
2018069025.tif 000016
【図１５】
2018069025.tif 000017
【図１６】
2018069025.tif 000018
【図１７】
2018069025.tif 000019
【図１８】
2018069025.tif 000020
【図１９】
2018069025.tif 000021
【図２０】
2018069025.tif 000022
【図２１】
2018069025.tif 000023
【図２２】
2018069025.tif 000024
【図２３】
2018069025.tif 000025
【図２４】
2018069025.tif 000026
【図２５】
2018069025.tif 000027
【図２６】
2018069025.tif 000028
【図２７】
2018069025.tif 000029
【図２８】
2018069025.tif 000030
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
衣服用ハンガーにおいて、同一の半径で中芯が異なり、重なり合って左右の高さが同一の二つの円の円周の上部にフックを有するフックベースが形成され、前記フックベースから左に伸びる外管の上部は、一方の円の円周上の左肩の位置まで伸びていて、前記フックベースから右に伸びる前記外管は若干の距離にしてあり、前記外管の上部に装着する左肩延長パットは前記外管の上部の外面で左右にスライド出来て、内管を右肩迄伸ばして、前記内管の上部は他方の円の円周上に構成され、前記内管上部に装着する右肩延長パットは前記内管の上部の外面で左右にスライド出来て、前記外管の内側に内管ガイドレールを形成してあり、前記外管下部に内管ストッパーを有する外管下カバーが装着されていて、前記左肩延長パットと前記右肩延長パットの位地は水平になっていて、前記外管の内側より前記右肩延長パットは若干細く形成され、前記右肩延長パット周囲と前記外管の内側に空間が出来ていて、前記外管の内側に前記右肩延長パットと前記内管を入れ出しできる事を特徴とする衣服用ハンガー。
【請求項２】
衣服用ハンガーにおいて、衣服用ハンガーのフックを装着する為のフックベースを設けて、前記フックベースに左肩支持バーを装着する為の穴を形成して有り、前記左肩支持バーに前記穴にはまる突起が形成され、前記穴に前記突起が係止されていて、前記左肩支持バーは前記フックベースから左肩迄伸びて、前記左肩支持バーに前記左肩支持バーの一端から左肩迄伸びる右肩支持バーが横行する為の右肩支持バー横行溝が形成されていて、前記右肩支持バーの正面と背面に左右に長い右肩支持バーハンガー溝を形成してあり、前記右肩支持バー横行溝内に前記左肩支持バーから内向きの右肩支持バー脱落止めを設けてあって、前記右肩支持バー脱落止めは前記右肩支持バーハンガー溝にはまっていて前記左肩支持バーに左肩延長パットが装着され、前記右肩支持バーに右肩延長パットが装着されて、前記左肩延長パッと前記右肩延長パットは同一の高さになっている、と共に、前記右肩延長パットと前記右肩支持バーを左右に移動する際に前記フックベースに設けられた空間に依って前記右肩延長パットが前記フックベースに干渉することがなく横行可能になっていることを特徴とする衣服用ハンガー。
【請求項３】
衣服用ハンガーにおいて、フックとフックベースが左右に移動する衣服用ハンガーは、左肩から右肩迄続く前記ハンガーバーと、前記フックを装着する前記フックベースとにより構成されていて、前記ハンガーバー上部に衣服脱落止めスプリングを有する肩幅拡張パットが装着され、前記ハンガーバーの正面と背面であって左肩から右肩の間にフックベースガイドレールが形成され、フッ前記クベースガイドレール両端にフックベースストッパーが設けられていて、前記フックベースの内側に向かうフックベースガイドレール溝が形成され、前記フックベースガイドレール溝に前記フックベースガイドレールがはまっていて、前記フックベースの内側であって、前記フックベースガイドレール溝より上部に空間が設けられていて、前記フックベースは前記フックベースガイドレール両端の前記フックベースストッパーの間を前記衣装脱落止めスプリングを有する前記肩幅拡張パットに接触する事なしに横行移動自在に成っている事を特徴とする衣服用ハンガー。
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
衣服用ハンガーにおいて、同一の半径で中芯が異なり、重なり合って左右の高さが同一の二つの円の円周の上部にフックを有するフックベースが形成され、前記フックベースから左に伸びる外管の上部は、一方の円の円周上の左肩の位置まで伸びていて、前記フックベースから右に伸びる前記外管は若干の距離にしてあり、前記外管の上部に装着する左肩延長パットは前記外管の上部の外面で左右にスライド出来て、内管を右肩迄伸ばして、前記内管の上部は他方の円の円周上に構成され、前記内管上部に装着する右肩延長パットは前記内管の上部の外面で左右にスライド出来て、前記外管の内側に内管ガイドレールを形成してあり、前記外管下部に内管ストッパーを有する外管下カバーが装着されていて、前記左肩延長パットと前記右肩延長パットの位置が同じ高さになっていて、前記外管の内側より前記右肩延長パットは若干細く形成され、前記右肩延長パット周囲と前記外管の内側に空間が出来ていて、前記外管の内側に前記右肩延長パットと前記内管を入れ出しできる事を特徴とする衣服用ハンガー。
【請求項２】
衣服用ハンガーにおいて、衣服用ハンガーのフックを装着する為のフックベースを設けて、前記フックベースに左肩支持バーを装着する為の穴を形成して有り、前記左肩支持バーに前記穴にはまる突起が形成され、前記穴に前記突起が係止されていて、前記左肩支持バーは前記フックベースから左肩迄伸びて、前記左肩支持バーに前記左肩支持バーの一端から左肩迄伸びる右肩支持バーが横行する為の右肩支持バー横行溝が形成されていて、前記右肩支持バーの正面と背面に左右に長い右肩支持バーハンガー溝を形成してあり、前記右肩支持バー横行溝内に前記左肩支持バーから内向きの右肩支持バー脱落止めを設けてあって、前記右肩支持バー脱落止めは前記右肩支持バーハンガー溝にはまっていて前記左肩支持バーに左肩延長パットが装着され、前記右肩支持バーに右肩延長パットが装着されて、前記左肩延長パットと前記右肩延長パットは同一の高さになっている、と共に、前記右肩延長パットと前記右肩支持バーを左右に移動する際に前記フックベースに設けられた空間に依って前記右肩延長パットが前記フックベースに干渉することがなく横行可能になっていることを特徴とする衣服用ハンガー。
【請求項３】
衣服用ハンガーにおいて、フックとフックベースが左右に移動する衣服用ハンガーは、左肩から右肩迄続くハンガーバーと、前記フックを装着する前記フックベースとにより構成されていて、前記ハンガーバー上部に衣服脱落止めスプリングを有する肩幅拡張パットが装着され、前記ハンガーバーの正面と背面であって左肩から右肩の間にフックベースガイドレールが形成され、前記フックベースガイドレール両端にフックベースストッパーが設けられていて、前記フックベースの内側に向かうフックベースガイドレール溝が形成され、前記フックベースガイドレール溝に前記フックベースガイドレールがはまっていて、前記フックベースの内側であって、前記フックベースガイドレール溝より上部に空間が設けられていて、前記フックベースは前記フックベースガイドレール両端の前記フックベースストッパーの間を前記衣服脱落止めスプリングを有する前記肩幅拡張パットに接触する事なしに横行移動自在に成っている事を特徴とする衣服用ハンガー。